(57)【特許請求の範囲】
【請求項１】
互いに椀形状を呈し、閉合方向で閉じ合わせると中空の箱状となる第１外殻部および第２外殻部を備え、
前記第１外殻部には、開放端部の大きさ寸法を部分的に拡大すべく前記閉合方向に直交する直交面方向の外側に突出する第１環状リブ突起が設けられ、
前記第２外殻部には、開放端部の大きさ寸法を部分的に拡大すべく前記直交面方向の外側に突出する第２環状リブ突起が設けられ、
前記第１環状リブ突起または前記第２環状リブ突起の少なくとも一方には、対応する前記第１環状リブ突起または前記第２環状リブ突起の中で完結して取付穴部が設けられ、
前記第１外殻部と前記第２外殻部とは、前記閉合方向で見て四角形状を呈し、
前記取付穴部は、前記第２環状リブ突起における前記直交面方向に沿う直線上に位置する２つの側面の一方と他方とで対を為して設けられたことを特徴とするキャリングケース。
【請求項２】
前記第１環状リブ突起には、前記閉合方向に突出する取付部が設けられ、
前記取付穴部は、前記第２環状リブ突起における前記直交面方向に沿う直線上に位置する２つの側面の一方と他方とで前記取付部と対を為して設けられたことを特徴とする請求項１に記載のキャリングケース。
【請求項３】
前記第１環状リブ突起と前記第２環状リブ突起とは、前記第１外殻部と前記第２外殻部とが閉じ合わされると、前記閉合方向で接触しつつ並列して単一の突条を形成することを特徴とする請求項１に記載のキャリングケース。
【請求項４】
前記取付穴部は、前記第１環状リブ突起と前記第２環状リブ突起との双方に前記閉合方向で対を為して設けられ、
一方の前記取付穴部は、自らが設けられた前記第１環状リブ突起または前記第２環状リブ突起を前記閉合方向に貫通して形成され、
他方の前記取付穴部は、自らが設けられた前記第１環状リブ突起または前記第２環状リブ突起を前記閉合方向に貫通しつつ閉じ合わされる面を前記直交面方向に切り欠く切欠部分に通じて形成されたことを特徴とする請求項３に記載のキャリングケース。
【請求項５】
前記第１外殻部または前記第２外殻部の少なくとも一方には、対応する前記第１外殻部または前記第２外殻部の中で完結して補助取付穴部が設けられていることを特徴とする請求項１に記載のキャリングケース。
【請求項６】
前記第１外殻部および前記第２外殻部には、開放された際に互いに対向する両底側面において、互い違いに脚部が設けられていることを特徴とする請求項１に記載のキャリングケース。
【発明の詳細な説明】
【技術分野】
【０００１】
本発明は、キャリングケースに関する。
【背景技術】
【０００２】
測量では、測量を行う現場にトータルステーションのような測量機を持ち運ぶ必要がある。このため、測量機をキャリングケースに収容し、携帯具を用いてキャリングケースを背負うことを可能とすることが考えられている（例えば、特許文献１参照）。このキャリングケースでは、それを覆うように携帯具を装着し、その携帯具の肩掛ベルト部を両肩に掛けることで、測量機を収容した状態で背負うことができ、その測量機を保護しつつ持ち運ぶことが容易となる。
【先行技術文献】
【特許文献】
【０００３】
【特許文献１】特開２００３−０９０７２４号公報
【発明の概要】
【発明が解決しようとする課題】
【０００４】
ところで、上記した従来技術では、携帯具がキャリングケースを覆いつつ装着される構成であるので、測量機を使用する際には携帯具をキャリングケースから取り外す必要があり、再び持ち運ぶ際には携帯具でキャリングケースを覆い装着する必要がある。このことから、キャリングケースでは、背負い持ち運んだ測量機を使用したり再び測量機を持ち運ぶべく収容して背負ったりする度に、携帯具の装着と取り外しとを行う必要がある。このように、従来のキャリングケースでは、携帯具のような被装着部材の装着を可能とする構成において、使い勝手を向上する観点から改善の余地がある。
【０００５】
本発明は、上記の事情に鑑みて為されたもので、被装着部材の装着を可能としつつ使い勝手を向上させることのできるキャリングケースを提供することを目的とする。
【課題を解決するための手段】
【０００６】
上記した課題を解決するために、本願発明のキャリングケースは、互いに椀形状を呈し、閉合方向で閉じ合わせると中空の箱状となる第１外殻部および第２外殻部を備え、前記第１外殻部には、開放端部の大きさ寸法を部分的に拡大すべく前記閉合方向に直交する直交面方向の外側に突出する第１環状リブ突起が設けられ、前記第２外殻部には、開放端部の大きさ寸法を部分的に拡大すべく前記直交面方向の外側に突出する第２環状リブ突起が設けられ、前記第１環状リブ突起または前記第２環状リブ突起の少なくとも一方には、対応する前記第１環状リブ突起または前記第２環状リブ突起の中で完結して取付穴部が設けられたことを特徴とする。
【発明の効果】
【０００７】
本発明のキャリングケースによれば、被装着部材の装着を可能としつつ使い勝手を向上させることができる。
【図面の簡単な説明】
【０００８】
【図１】本発明に係るキャリングケースの一例としての実施例のキャリングケース１０を第１正面１６側であって正側Ｘ側面１８Ａ側から見た様子を示す説明図である。
【図２】キャリングケース１０を第１正面１６側であって負側Ｘ側面１８Ｂ側から見た様子を示す説明図である。
【図３】キャリングケース１０を第２正面１７側から見た様子を示す説明図である。
【図４】環状リブ突起２９の正側Ｘ側面１８Ａに設けた各第１取付穴部２６、各第２取付穴部４５および取付金具２５（それらの近傍）を拡大して示す説明図である。
【図５】第１外殻部１１に設けた第１取付穴部２６を拡大して示す説明図である。
【図６】第２外殻部１２に設けた第２取付穴部４５を拡大して示す説明図である。
【図７】図４に示すＩ−Ｉ線に沿って得られた断面図である。
【図８】第２外殻部１２に設けた補助取付穴部４６を拡大して示す説明図である。
【図９】図８に示すII−II線に沿って得られた断面図である。
【図１０】各第１取付穴部２６と各取付金具２５とを用いて衝撃吸収部材５０およびベルト部材６０を装着した状態を示す説明図である。
【図１１】各補助取付穴部４６を用いて収容部材７０を装着した状態を示す説明図である。
【発明を実施するための形態】
【０００９】
以下に、本願発明に係るキャリングケースの実施の形態について図面を参照しつつ説明する。
【実施例１】
【００１０】
本願発明に係るキャリングケースの一例としてのキャリングケース１０の概略的な構成について、図１から図１１を用いて説明する。
【００１１】
キャリングケース１０は、物品を収容することで当該物品を保護しつつ持ち運びを容易とするものであり、本実施例ではトータルステーション等の測量機を収容する。このキャリングケース１０は、図１および図２に示すように、収容空間を形成すべく第１外殻部１１と第２外殻部１２とを閉じ合わせて構成する。以下の説明では、収容状態で第１外殻部１１と第２外殻部１２とが対向する方向をＺ方向とし、第１外殻部１１側をＺ方向正側とする。また、図１および図２においてキャリングケース１０が置かれた面に沿う方向であってＺ方向と直交する方向をＸ方向とし、図１を正面視した手前側をＸ方向負側とする。さらに、Ｘ方向およびＺ方向に直交する方向をＹ方向とし、図１および図２を正面視した上側をＹ方向正側とする。このため、本実施例では、Ｚ方向が第１外殻部１１と第２外殻部１２とが閉じ合わされる閉合方向となり、Ｘ−Ｙ平面に沿う方向が閉合方向に直交する直交面方向となる。
【００１２】
第１外殻部１１および第２外殻部１２は、それぞれが椀形状を呈し、本実施例では樹脂材料から射出成型により形成する。この第１外殻部１１と第２外殻部１２とは、Ｙ方向負側の端部に設けた蝶番を介して開閉自在に連結され、Ｙ方向正側の端部に設けた固定具１４により閉じ合わされた状態で固定される。第１外殻部１１と第２外殻部１２とは、Ｚ方向（閉合方向）で閉じ合わされることで、中空の箱状を呈するケース本体１３を形成する。このケース本体１３は、本実施例では、Ｘ方向に長尺な直方体形状を呈し、Ｙ方向正側の端部に設けた把持部１５により持ち運びが可能とされる。ケース本体１３（キャリングケース１０）では、第１外殻部１１におけるＺ方向（Ｚ方向正側）に位置する平坦面を第１正面１６とし、第２外殻部１２におけるＺ方向（Ｚ方向負側）に位置する平坦面を第２正面１７とする。その第１正面１６と第２正面１７とは、それぞれＸ方向およびＹ方向を含む面と平行でありＺ方向で並列し、そのＺ方向で見て四角形状を呈する。
【００１３】
その第１外殻部１１には、第１中央リブ突条２１と第１中央リブ溝２２と一対の第１側方リブ突条２３と一対の第１側方リブ溝２４と３つの取付金具２５と４つの第１取付穴部２６と環状溝２７（図７参照）とが設けられる。第１中央リブ突条２１は、第１正面１６において、Ｙ方向で見た中央位置で、Ｚ方向正側に突出しつつＸ方向に伸びて形成し、Ｙ方向での寸法（幅寸法）およびＺ方向での寸法（高さ寸法）を全長に亘り均一とする。この第１中央リブ突条２１は、Ｘ方向で見た両端が第１外殻部１１においてＸ方向に位置する両Ｘ側面１８（正側Ｘ側面１８Ａ（図１参照）および負側Ｘ側面１８Ｂ（図２参照））まで伸びる。
【００１４】
この第１中央リブ突条２１に第１中央リブ溝２２を設ける。その第１中央リブ溝２２は、Ｙ方向で見た第１中央リブ突条２１の中央をＺ方向負側に凹ませつつその第１中央リブ突条２１に沿う方向（Ｘ方向）に伸びて形成する。第１中央リブ溝２２は、Ｙ方向での寸法（幅寸法）およびＺ方向での寸法（深さ寸法）を全長に亘り均一とする。本実施例では、第１中央リブ溝２２には、会社名や商品名やブランド名等を記載するプレート板２２ａを設けている。
【００１５】
一対の第１側方リブ突条２３は、第１中央リブ突条２１をＹ方向で挟む位置ですなわち第１中央リブ突条２１のＹ方向正側の位置とＹ方向負側の位置とで、Ｚ方向正側に突出しつつＸ方向に伸びて形成する。この両第１側方リブ突条２３は、Ｙ方向での寸法（幅寸法）およびＺ方向での寸法（高さ寸法）を全長に亘り均一とする。両第１側方リブ突条２３は、第１正面１６においてＸ方向で見た両端が第１正面１６（第１外殻部１１）の４つの隅部２８のうちの最も近いものに向けて湾曲する。
【００１６】
この各第１側方リブ突条２３に第１側方リブ溝２４を設ける。その各第１側方リブ溝２４は、対応する第１側方リブ突条２３のＹ方向で見た中央をＺ方向負側に凹ませつつその第１側方リブ突条２３に沿う方向に伸びて形成する。各第１側方リブ溝２４は、Ｙ方向での寸法（幅寸法）およびＺ方向での寸法（深さ寸法）を全長に亘り均一とする。このため、各第１側方リブ溝２４は、図２に示すように、Ｘ方向で見た中央箇所がＸ方向に伸び、Ｘ方向で見た両端箇所が対応する第１側方リブ突条２３に倣って湾曲して第１正面１６（第１外殻部１１）の対応する隅部２８へ向かい当該隅部２８上まで伸びる。これにより、Ｙ方向正側の第１側方リブ溝２４では、Ｘ方向正側の端部がＸ方向正側でかつＹ方向正側の隅部２８上へ、Ｘ方向負側の端部がＸ方向負側でかつＹ方向正側の隅部２８上へ、と夫々向かう。また、Ｙ方向負側の第１側方リブ溝２４は、Ｘ方向正側の端部がＸ方向正側でかつＹ方向負側の隅部２８上へ、Ｘ方向負側の端部がＸ方向負側でかつＹ方向負側の隅部２８上へ、と夫々向かう。
【００１７】
３つの取付金具２５は、図１および図２に示すように、ケース本体１３における環状リブ突起２９に設ける。その環状リブ突起２９は、直方体形状のケース本体１３において、Ｚ方向を中心とする回転方向で見た全周に亘りＺ方向と直交する方向へと突出して設けられる。環状リブ突起２９は、ケース本体１３において、Ｘ方向に位置する両Ｘ側面１８（正側Ｘ側面１８Ａ（図１参照）および負側Ｘ側面１８Ｂ（図２参照））と、Ｙ方向に位置する両Ｙ側面１９（正側Ｙ側面１９Ａおよび負側Ｙ側面１９Ｂ）と、を架け渡す環状を呈する。この環状リブ突起２９は、ケース本体１３を構成する第１外殻部１１と第２外殻部１２との開放端部（閉じ合わされる箇所）を跨いで設けられ、第１外殻部１１に設けた第１環状リブ突起２９Ａと第２外殻部１２に設けた第２環状リブ突起２９Ｂとで形成される。その第１環状リブ突起２９Ａと第２環状リブ突起２９Ｂとは、自らが設けられた外郭部（第１外殻部１１または第２外殻部１２）の開放端部の大きさ寸法を部分的に拡大するようにＺ方向に直交する面における外側へと突出し、Ｚ方向（閉合方向）で接触しつつ並列して単一の突条となる環状リブ突起２９を形成する。
【００１８】
３つの取付金具２５は、金属材料から形成された棒状の部材をＵ字状に湾曲させて形成し、第１環状リブ突起２９ＡからＺ方向正側（閉合方向）に向けて突出して設ける。取付金具２５は、１つをケース本体１３におけるＸ方向正側の正側Ｘ側面１８Ａに設け（図１参照）、２つをケース本体１３におけるＸ方向負側の負側Ｘ側面１８ＢでＹ方向に並列させて設ける（図２参照）。この取付金具２５は、図１等に示すように、正側Ｘ側面１８ＡとＸ方向で間隔を置いて設け、対応するＸ側面１８（１８Ａ、１８Ｂ）に沿って存在する。この各取付金具２５は、ケース本体１３（第１環状リブ突起２９Ａおよび対応するＸ側面１８（それらの外表面））との間に空間を形成する。
【００１９】
４つの第１取付穴部２６は、図１および図２に示すように、第１外殻部１１の第１環状リブ突起２９Ａに設け、後述するように第１環状リブ突起２９Ａ（第１外殻部１１）の中で完結し（図５等参照）、詳細な構成は後述する。第１取付穴部２６は、２つを第１環状リブ突起２９Ａにおける正側Ｘ側面１８Ａで取付金具２５をＹ方向で挟んで設け（図１参照）、１つを負側Ｘ側面１８Ｂで２つの取付金具２５のＹ方向での間に設け（図２参照）、１つを正側Ｙ側面１９Ａで把持部１５の下方に設ける。この各Ｘ側面１８に設けた３つの第１取付穴部２６は、Ｚ方向正側から第１外殻部１１（第１正面１６）を見ると、Ｘ方向で見た反対側のＸ側面１８の取付金具２５と対を為す。
【００２０】
環状溝２７は、第１外殻部１１の開放端部（第２外殻部１２と閉じ合わされる箇所）をＺ方向正側に凹ませつつ全周に亘り設けられる（図７等参照）。この環状溝２７は、後述する環状突起４７との間に弾性部材を介在させることで、第１外殻部１１と第２外殻部１２とを閉じ合わせた際にその中に形成される収容空間の密閉性を高める。
【００２１】
第２外殻部１２には、図３に示すように、第２中央リブ突条４１と第２中央リブ溝４２と一対の第２側方リブ突条４３と一対の第２側方リブ溝４４と７つの第２取付穴部４５と４つの補助取付穴部４６と環状突起４７（図６および図７参照）とが設けられる。その第２中央リブ突条４１および第２中央リブ溝４２は、Ｚ方向で見ると、第１外殻部１１に設けた第１中央リブ突条２１および第１中央リブ溝２２と一致するものとしている。また、両第２側方リブ突条４３および両第２側方リブ溝４４は、Ｚ方向で見ると、第１外殻部１１に設けた両第１側方リブ突条２３および両第１側方リブ溝２４と一致するものとしている。このため、キャリングケース１０では、第１正面１６側から見ても第２正面１７側から見ても等しい印象を与えることができる。
【００２２】
７つの第２取付穴部４５は、第２外殻部１２の第２環状リブ突起２９Ｂに設けられ、後述するように第２環状リブ突起２９Ｂ（第２外殻部１２）の中で完結し（図６等参照）、詳細な構成は後述する。第２取付穴部４５は、３つを第２環状リブ突起２９Ｂにおける正側Ｘ側面１８ＡでＹ方向に並列させて設け、３つを負側Ｘ側面１８ＢでＹ方向に並列させて設け、１つを正側Ｙ側面１９Ａで把持部１５の下方に設ける。この正側Ｘ側面１８Ａに設けた３つの第２取付穴部４５は、負側Ｘ側面１８Ｂに設けた３つの第２取付穴部４５とＸ方向で対を為す位置関係とする。その各Ｘ側面１８の６つの第２取付穴部４５は、第１外殻部１１の第１環状リブ突起２９Ａの各Ｘ側面１８に設けた第１取付穴部２６または取付金具２５と、Ｚ方向で並列する。また、正側Ｙ側面１９Ａの１つの第２取付穴部４５は、第１外殻部１１の第１環状リブ突起２９Ａの正側Ｙ側面１９Ａに設けた第１取付穴部２６とＺ方向で並列する。このため、第２環状リブ突起２９Ｂに設けた７つの第２取付穴部４５は、第１環状リブ突起２９Ａに設けた第１取付穴部２６または取付金具２５のいずれか一方とＺ方向で並列する（図１等参照）。
【００２３】
その各第１取付穴部２６と各第２取付穴部４５とは、設けられた位置やその位置の周辺構造の差異に起因する多少の形状の変化はあるものの、基本的には互いに等しい構成とする。このため、図５に第１取付穴部２６の１つを拡大して示し、図６に第２取付穴部４５の１つを拡大し、それらを用いて構成を説明する。第１取付穴部２６は、第１環状リブ突起２９ＡをＺ方向（閉合方向）に貫通して設けられ、Ｚ方向で見てＹ方向に長尺な長方形状を呈する。この第１取付穴部２６では、第１環状リブ突起２９ＡにおけるＺ方向正側の面（外表面）を開口して第１開口２６ａを形成し、第１環状リブ突起２９ＡにおけるＺ方向負側の面（内表面）を開口して第２開口２６ｂを形成する。第１取付穴部２６では、環状リブ突起２９（ケース本体１３）を構成する一方の第１環状リブ突起２９Ａ（第１外殻部１１）のみに第１開口２６ａと第２開口２６ｂとの双方が位置する。このため、第１取付穴部２６は、第１開口２６ａおよび第２開口２６ｂを通すことで第１環状リブ突起２９Ａ（第１外殻部１１）のみに帯状や紐状やリング状やＵ字状の部材を取り付けることができ、第１環状リブ突起２９Ａ（第１外殻部１１）の中で完結した構成である。
【００２４】
また、第２取付穴部４５は、第２環状リブ突起２９ＢをＺ方向（閉合方向）に貫通しつつ切欠部分４８に通じて設け、Ｚ方向で見てＹ方向に長尺な長方形状を呈する。その切欠部分４８は、第２外殻部１２の開放端部（第１外殻部１１と閉じ合わされる箇所）をＺ方向負側に凹ませるように直方体形状に切り欠いて形成する。第２取付穴部４５では、切欠部分４８におけるＺ方向正側の面（第２環状リブ突起２９Ｂの切り欠かれた面）を開口して第１開口４５ａを形成し、第２環状リブ突起２９ＢにおけるＺ方向負側の面（外表面）を開口して第２開口４５ｂを形成する。この第２取付穴部４５では、環状リブ突起２９（ケース本体１３）を構成する他方の第２環状リブ突起２９Ｂ（第２外殻部１２）のみに第１開口４５ａと第２開口４５ｂとの双方が位置する。このため、第２取付穴部４５は、第１開口４５ａおよび第２開口４５ｂを通すことで第２環状リブ突起２９Ｂ（第２外殻部１２）のみに帯状や紐状やリング状やＵ字状の部材を取り付けることができ、第２環状リブ突起２９Ｂ（第２外殻部１２）の中で完結した構成である。
【００２５】
ここで、ケース本体１３では、第１外殻部１１と第２外殻部１２とが閉じ合わされると、図７に示すように、第１環状リブ突起２９Ａと第２環状リブ突起２９Ｂとで環状リブ突起２９を形成し、双方の開放端部が付き合わされる。このとき、各第２取付穴部４５では、第１開口４５ａを第２外殻部１２の開放端部に設けた切欠部分４８に開口しているので、両開放端部が付き合わされても当該切欠部分４８を経ることで第１開口４５ａをケース本体１３の外方に通じさせる。これにより、各第２取付穴部４５では、第１取付穴部２６または取付金具２５のいずれがＺ方向で並列されていても、第１開口４５ａおよび第２開口４５ｂを通して第２環状リブ突起２９Ｂ（第２外殻部１２）のみに帯状や紐状やリング状やＵ字状の部材（符号Ｂ１参照）を取り付けることができる。
【００２６】
また、各第１取付穴部２６では、Ｚ方向で第２取付穴部４５と並列する。このため、各第１取付穴部２６では、第１外殻部１１と第２外殻部１２とが閉じ合わされても、第１外殻部１１の開放端部に設けた第２開口２６ｂが切欠部分４８に通じるので、当該切欠部分４８を経ることで第２開口２６ｂをケース本体１３の外方に通じさせる。これにより、各第１取付穴部２６では、第２取付穴部４５とＺ方向で並列させることで、第１開口２６ａおよび第２開口２６ｂを通して第１環状リブ突起２９Ａ（第１外殻部１１）のみに帯状や紐状やリング状やＵ字状の部材（符号Ｂ２参照）を取り付けることができる。
【００２７】
補助取付穴部４６は、各第１取付穴部２６や各第２取付穴部４５や各取付金具２５とともに後述する被装着部材の装着を可能とし、図３に示すように、第２外殻部１２における４つの隅部２８の近傍に設ける。この各補助取付穴部４６は、本実施例では、２つが第２外殻部１２の正側Ｙ側面１９ＡにおけるＸ方向での両端部に位置し、残りの２つが第２外殻部１２の負側Ｙ側面１９ＢにおけるＸ方向での両端部に位置する。各補助取付穴部４６は、設けられた位置やその位置の周辺構造の差異に起因する多少の形状の変化はあるものの、基本的には互いに等しい構成であるので、図８および図９に各補助取付穴部４６の１つを拡大して示し、それを用いて構成を説明する。補助取付穴部４６は、Ｙ側面１９（図示の例では正側Ｙ側面１９Ａ）との間に空間を形成して為る屈曲辺部４６ａを、Ｚ方向（閉合方向）に貫通して形成する。この補助取付穴部４６では、屈曲辺部４６ａにおけるＺ方向の一方の面（図示の例では正側）を開口して第１開口４６ｂを形成し、屈曲辺部４６ａにおけるＺ方向の他方の面（図示の例では負側）を開口して第２開口４６ｃを形成する。このため、補助取付穴部４６は、ケース本体１３を構成する他方の第２外殻部１２のみに第１開口４６ｂと第２開口４６ｃとの双方が位置し、それらを通すことで第２外殻部１２のみに帯状や紐状やリング状やＵ字状の部材を取り付けることができ（符号Ｂ３参照）、第２外殻部１２の中で完結した構成である。
【００２８】
環状突起４７は、第２外殻部１２の開放端部（第１外殻部１１と閉じ合わされる箇所）をＺ方向正側に突出させつつ全周に亘り設けられる（図６および図７参照）。この環状突起４７は、第１外殻部１１の環状溝２７との間に弾性部材を介在させることで、第１外殻部１１と第２外殻部１２とを閉じ合わせた際にその中に形成される収容空間の密閉性を高める。
【００２９】
このケース本体１３（キャリングケース１０）では、負側Ｘ側面１８Ｂに複数の脚部４９が設けられる。この各脚部４９は、把持部１５により持ち運ぶ姿勢（図１および図２参照）で面上に置く際に、その面に接触する箇所となる。各脚部４９は、図１１に示すように、負側Ｘ側面１８ＢからＹ方向負側に突出しつつＺ方向に伸びて形成され、その突出端にＸ方向で間隔を置きつつＺ軸方向に伸びる２本の線条部分４９ａを有する。この各脚部４９は、第１外殻部１１と第２外殻部１２とが開放された際に互いに対向する第１外殻部１１側の負側Ｘ側面１８Ｂと第２外殻部１２側の負側Ｘ側面１８Ｂとの双方に設け、Ｘ方向で見て互い違いとなるようにすなわちＸ方向における互いに異なる位置に設ける。各脚部４９は、本実施例では、第１外殻部１１においてＸ方向に並列して設けた４つの第１脚部４９Ａと、第２外殻部１２においてＸ方向に並列して設けた２つの第２脚部４９Ｂと、を有する。そのＸ方向正側の第２脚部４９Ｂは、Ｘ方向で見て正側の２つの第１脚部４９Ａの間に位置し、Ｘ方向負側の第２脚部４９Ｂは、Ｘ方向で見て負側の２つの第１脚部４９Ａの間に位置する。
【００３０】
このキャリングケース１０では、図１０に示すように、衝撃吸収部材５０やベルト部材６０を装着できる。この図１０では、鉛直方向で見て正側Ｘ側面１８Ａを上側にかつ負側Ｘ側面１８Ｂを下側にしてケース本体１３（キャリングケース１０）を立てた状態を示す。衝撃吸収部材５０は、キャリングケース１０を背負う際に第１外殻部１１（その第１正面１６）に直接背中が触れることを防止し、かつ第１外殻部１１（第１正面１６）から背中への衝撃を吸収する。衝撃吸収部材５０は、本実施例では、吸収本体部５１と取付ベルト部５２と調整部材５３とフック部５４とを有する。その吸収本体部５１は、薄板形状を呈する弾性部材で形成され、その裏面に取付ベルト部５２が設けられる。その取付ベルト部５２は、Ｙ方向で並列しつつＸ方向に平行に伸びる帯状を呈し、それぞれの吸収本体部５１よりもＸ方向正側に調整部材５３が設けられ、それぞれのＸ方向負側の端部にフック部５４が設けられる。その調整部材５３は、例えばバックルやラッチ等の構成を採用し、折り返された取付ベルト部５２のＸ方向正側の端部を受け入れることで、当該取付ベルト部５２の長さの調節を可能とする。各フック部５４は、キャリングケース１０の第１外殻部１１に設けた各取付金具２５への取り付けと、その状態からの取り外しと、が可能である。
【００３１】
この衝撃吸収部材５０は、次のようにキャリングケース１０（ケース本体１３）に装着する。衝撃吸収部材５０では、各取付ベルト部５２の上端を正側Ｘ側面１８Ａの２つの第１取付穴部２６に個別に通した後に調整部材５３へと通し、かつ２つのフック部５４を負側Ｘ側面１８Ｂの２つの取付金具２５に個別に取り付ける。このとき、各取付ベルト部５２の上端は、第２開口２６ｂを通した後に切欠部分４８を通してケース本体１３の外方へと至らせることで、並列する第２取付穴部４５（第２外殻部１２）と干渉しないものとする。そして、衝撃吸収部材５０では、各調整部材５３で各取付ベルト部５２の長さを調節することで、吸収本体部５１を第１外殻部１１の第１正面１６に面で接触させつつケース本体１３（キャリングケース１０）に装着される。
【００３２】
ベルト部材６０は、キャリングケース１０を背負うために装着するものであり、本実施例では、肩掛ベルト部６１に３つのフック部６２と調整部材６３とを設けて構成する。その肩掛ベルト部６１は、Ｙ方向で並列しつつＸ方向に平行に伸びる帯状を呈し、Ｘ方向正側の端部を１つに纏め、そこに単一のフック部６２を設ける。また、肩掛ベルト部６１では、Ｙ方向で並列するそれぞれのＸ方向負側の端部に、単一のフック部６２が設けられる。その各フック部６２は、キャリングケース１０の第１外殻部１１に設けた各取付金具２５への取り付けと、その状態からの取り外しと、が可能である。調整部材６３は、例えばバックルやラッチ等の構成を採用し、肩掛ベルト部６１に設けられることで当該肩掛ベルト部６１の長さの調節を可能とする。
【００３３】
このベルト部材６０は、次のようにキャリングケース１０（ケース本体１３）に装着する。なお、この図１０では、上述したように衝撃吸収部材５０を装着した後にベルト部材６０を装着する様子を示しているが、衝撃吸収部材５０を装着することなくベルト部材６０を装着してもよい。ベルト部材６０では、Ｘ方向正側の端部のフック部６２を正側Ｘ側面１８Ａの取付金具２５に取り付け、かつＸ方向負側の端部の２つのフック部６２を負側Ｘ側面１８Ｂの２つの取付金具２５に個別に取り付ける。そして、ベルト部材６０では、各調整部材６３で各肩掛ベルト部６１の長さを調節することで、第１外殻部１１の第１正面１６（図示の例では吸収本体部５１（衝撃吸収部材５０））と肩掛ベルト部６１との間隔を適切としつつケース本体１３（キャリングケース１０）に装着される。
【００３４】
さらに、キャリングケース１０では、図１１に示すように、収容部材７０を装着することができる。この図１１では、鉛直方向で見て正側Ｘ側面１８Ａを上側にかつ負側Ｘ側面１８Ｂを下側にし、第２正面１７を手前側に向けてケース本体１３（キャリングケース１０）を立てた状態を示す。収容部材７０は、物品を収容するものであり、その物品をキャリングケース１０とともに運ぶことを可能とする。収容部材７０は、本実施例では、収容本体部７１と取付ベルト部７２と調整部材７３とフック部７４とを有する。その収容本体部７１は、物品を収容可能な袋状を呈し、その裏面に取付ベルト部７２が設けられる。その取付ベルト部７２は、Ｙ方向に伸びる帯状を呈し、その収容本体部７１よりもＹ方向負側に調整部材７３が設けられ、それぞれの端部（図１１ではＹ方向負側の端部のみ図示）にフック部７４が設けられる。その調整部材７３は、例えばバックルやラッチ等の構成を採用し、取付ベルト部７２に設けられることで当該取付ベルト部７２の長さの調節を可能とする。各フック部７４は、キャリングケース１０の第２外殻部１２に設けた各補助取付穴部４６への取り付けと、その状態からの取り外しと、が可能である。
【００３５】
この収容部材７０は、一例として、次のようにキャリングケース１０（ケース本体１３）に装着する。収容部材７０では、各取付ベルト部７２の両端のフック部７４を、正側Ｙ側面１９Ａおよび負側Ｙ側面１９ＢにおいてＸ方向正側に位置する２つの補助取付穴部４６に個別に取り付ける。そして、収容部材７０では、各調整部材７３で各取付ベルト部７２の長さを調節することで、収容本体部７１を第２外殻部１２の正側Ｘ側面１８Ａに載せつつケース本体１３（キャリングケース１０）に装着することができる。なお、この例では、両Ｙ側面１９のＸ方向正側に位置する２つの補助取付穴部４６を用いているが、両Ｙ側面１９のＸ方向負側に位置する２つの補助取付穴部４６を用いて収容本体部７１を第２外殻部１２の負側Ｘ側面１８Ｂの下に位置させて収容部材７０を装着してもよく、他の態様で装着してもよく、図１１に示す例に限定されない。
【００３６】
このため、キャリングケース１０では、各第１取付穴部２６および各第２取付穴部４５が、第１環状リブ突起２９Ａ（第１外殻部１１）または第２環状リブ突起２９Ｂ（第２外殻部１２）の中で完結する取付穴部として機能する。また、キャリングケース１０では、各取付金具２５が、衝撃吸収部材５０のフック部５４やベルト部材６０のフック部６２の取り付けを可能とすべく第１環状リブ突起２９Ａ（第１外殻部１１）に設けた取付部として機能する。さらに、本実施例では、衝撃吸収部材５０、ベルト部材６０および収容部材７０が、取付穴部（各第１取付穴部２６、各第２取付穴部４５）や取付部（各取付金具２５）や各補助取付穴部４６を用いてキャリングケース１０に装着される被装着部材として機能する。ついで、キャリングケース１０では、各脚部４９が設けられた各負側Ｘ側面１８Ｂが、第１外殻部１１と第２外殻部１２とにおける底側面として機能する。そのベルト部材６０は、各取付金具２５を利用してケース本体１３（キャリングケース１０）に装着されることで、両肩掛ベルト部６１を両肩に掛けてキャリングケース１０を背負うことを可能とする。また、衝撃吸収部材５０は、各取付金具２５および各第１取付穴部２６を利用してケース本体１３（キャリングケース１０）に装着されることで、背負った際の第１外殻部１１（その第１正面１６）から背中への衝撃を吸収する。さらに、収容部材７０は、各補助取付穴部４６を利用してケース本体１３（キャリングケース１０）に装着されることで、ケース本体１３に収容した物品（本実施例では測量機）とは異なる物品をケース本体１３と一緒に背負うことを可能とする。よって、キャリングケース１０では、負担をより軽減しつつ持ち運ぶことをより容易とすることができる。
【００３７】
このとき、取付穴部としての各第１取付穴部２６では、第１環状リブ突起２９Ａ（第１外殻部１１）の中で完結するので、第２開口２６ｂを通して切欠部分４８からケース本体１３の外方へと至らせることで、各取付ベルト部５２を並列する第２取付穴部４５（第２外殻部１２）と干渉させない。また、取付部としての各取付金具２５は、第１環状リブ突起２９Ａ（第１外殻部１１）からＺ方向（閉合方向）に突出するので、その周辺を取り巻くことで第１環状リブ突起２９Ａ（第１外殻部１１）のみに各フック部５４（各フック部６２でも同様である）を取り付けることができ、第１環状リブ突起２９Ａ（第１外殻部１１）の中で完結した構成である。このため、ケース本体１３（キャリングケース１０）では、衝撃吸収部材５０を第１環状リブ突起２９Ａすなわち第１外殻部１１のみに装着することができ、当該衝撃吸収部材５０を取り外すことなく第１外殻部１１と第２外殻部１２とを開放できる。
【００３８】
また、ベルト部材６０は、第１外殻部１１の第１環状リブ突起２９Ａに設けた３つの取付金具２５を用いて、ケース本体１３（キャリングケース１０）に装着される。加えて、収容部材７０は、第２外殻部１２に設けた２つの補助取付穴部４６を用いて、ケース本体１３（キャリングケース１０）に装着される。このため、ケース本体１３（キャリングケース１０）では、ベルト部材６０を第１環状リブ突起２９Ａすなわち第１外殻部１１のみに装着することができ、かつ収容部材７０を第２外殻部１２のみに装着することができ、そのベルト部材６０や収容部材７０を取り外すことなく第１外殻部１１と第２外殻部１２とを開放できる。よって、ケース本体１３（キャリングケース１０）では、衝撃吸収部材５０やベルト部材６０や収容部材７０を装着したままで、測量機を使用したり収容したりすることができる。
【００３９】
本発明に係るキャリングケースの一実施例としてのキャリングケース１０では、第１環状リブ突起２９Ａ（第１外殻部１１）において第１開口２６ａと第２開口２６ｂとを繋ぎ、当該第１環状リブ突起２９Ａ（第１外殻部１１）の中で完結させて、取付穴部としての各第１取付穴部２６を設けている。このため、キャリングケース１０では、各第１取付穴部２６を用いて被装着部材を装着することで、第１外殻部１１（第１環状リブ突起２９Ａ）のみに被装着部材を装着できる。同様に、キャリングケース１０では、第２環状リブ突起２９Ｂ（第２外殻部１２）の中で完結させて取付穴部としての各第２取付穴部４５を設けているので、その各第２取付穴部４５を用いて被装着部材を装着することで、第２外殻部１２（第２環状リブ突起２９Ｂ）のみに被装着部材を装着できる。これらのことから、キャリングケース１０では、被装着部材を装着したままで、第１外殻部１１および第２外殻部１２を開放したり閉じ合せたりすることができ、使い勝手を向上させることができる。
【００４０】
また、キャリングケース１０では、取付穴部（各第１取付穴部２６、各第２取付穴部４５）を第１環状リブ突起２９Ａおよび第２環状リブ突起２９Ｂに設けている。このように、キャリングケース１０では、ケース本体１３の縁部に位置する各環状リブ突起２９に取付穴部を設けたので、フック部等を介して装着した被装着部材の安定性を高めることができる。
【００４１】
さらに、キャリングケース１０では、第１環状リブ突起２９Ａと第２環状リブ突起２９Ｂとが、第１外殻部１１と第２外殻部１２とを閉じ合わせると、Ｚ方向（閉合方向）で接触しつつ並列して単一の突条の環状リブ突起２９を形成する。このため、キャリングケース１０では、並列して接触することで第１環状リブ突起２９Ａおよび第２環状リブ突起２９Ｂの剛性を向上させることができ、それらに取付穴部（各第１取付穴部２６、各第２取付穴部４５）を設けたので被装着部材をより適切に装着することができる。
【００４２】
キャリングケース１０では、第１取付穴部２６と第２取付穴部４５とをＺ方向（閉合方向）で対を為して並列して設け、第１取付穴部２６が第１環状リブ突起２９Ａを貫通し、第２取付穴部４５が第２環状リブ突起２９Ｂを貫通しつつ切欠部分４８に開口する。このため、キャリングケース１０では、第１環状リブ突起２９Ａと第２環状リブ突起２９Ｂとの双方の開放端部が付き合わされても、第１取付穴部２６と第２取付穴部４５とがそれぞれ切欠部分４８に繋がり、第１取付穴部２６および第２取付穴部４５を互いに他方に干渉することなく帯状や紐状やリング状やＵ字状の部材を取り付けることができる。これにより、キャリングケース１０では、第１取付穴部２６と第２取付穴部４５とを外側から見て３つの開口のみで形成でき、かつそれぞれが設けられた第１環状リブ突起２９Ａ（第１外殻部１１）または第２環状リブ突起２９Ｂ（第２外殻部１２）の中で完結させることができる。このため、キャリングケース１０では、意匠性をより向上させつつ、被装着部材を装着したままで第１外殻部１１および第２外殻部１２を開放したり閉じ合せたりすることができる。
【００４３】
キャリングケース１０では、Ｚ方向（閉合方向）で見て四角形状を呈する第２外殻部１２（第２正面１７）において、Ｘ方向で対を為して両Ｘ側面１８に２つの第２取付穴部４５を設けている。このため、キャリングケース１０では、対を為す両第２取付穴部４５を用いて被装着部材を装着することで、当該被装着部材を安定して第２外殻部１２（第２環状リブ突起２９Ｂ）のみに装着することができる。
【００４４】
キャリングケース１０では、第１環状リブ突起２９ＡからＺ方向（閉合方向）に突出して取付部としての取付金具２５を設け、その取付金具２５（取付部）と取付穴部としての第１取付穴部２６とをＸ方向で対を為して両Ｘ側面１８に設けている。このため、キャリングケース１０では、対を為す第１取付穴部２６と取付金具２５とを用いて被装着部材を装着することで、当該被装着部材を安定して第１外殻部１１（第１環状リブ突起２９Ａ）のみに装着することができる。
【００４５】
キャリングケース１０では、第２取付穴部４５とＺ方向（閉合方向）で対を為して並列させて、第１取付穴部２６または取付金具２５を設けている。このため、キャリングケース１０では、位置に応じて第１取付穴部２６と取付金具２５と選択して設けているので、設計の自由度を高めつつ第１外殻部１１（第１環状リブ突起２９Ａ）または第２外殻部１２（第２環状リブ突起２９Ｂ）のみに被装着部材を装着することができる。
【００４６】
キャリングケース１０では、各第２取付穴部４５の第１開口４５ａが切欠部分４８に通じるので、Ｚ方向（閉合方向）で対を為して並列させて第１取付穴部２６または取付金具２５のいずれを設けた場合であっても、外観形状を変化させることなく第２環状リブ突起２９Ｂ（第２外殻部１２）の中で完結させることができる。
【００４７】
キャリングケース１０では、第２外殻部１２の中で完結して補助取付穴部４６を設けている。このため、キャリングケース１０では、取付穴部（各第１取付穴部２６、各第２取付穴部４５）や取付部（各取付金具２５）と併せて用いることで、被装着部材の装着自由度を高めつつ第１外殻部１１または第２外殻部１２のみに被装着部材を装着することができる。
【００４８】
キャリングケース１０では、底側面としての負側Ｘ側面１８Ｂに、Ｘ方向で見て互い違いとなるようにすなわちＸ方向における互いに異なる位置に各脚部４９を設けている。ここで、キャリングケース１０では、第１外殻部１１と第２外殻部１２とが開放されると、それぞれの負側Ｘ側面１８Ｂが近接して対向される。このキャリングケース１０では、Ｘ方向で見て互い違い各脚部４９を設けているので、第１外殻部１１側の第１脚部４９Ａと第２外殻部１２側の第２脚部４９Ｂとが干渉することを防止でき、使い勝手をより向上させることができる。
【００４９】
キャリングケース１０では、各脚部４９を、負側Ｘ側面１８Ｂ（底側面）からＹ方向負側に突出しつつＺ方向に伸びて設け、その突出端にＺ軸方向に伸びる２本の線条部分４９ａを設けて形成する。このため、キャリングケース１０では、各脚部４９が削れてしまった場合であっても当該各脚部４９すなわち第１外殻部１１や第２外殻部１２に穴が開くことを防止できる。これは、次のことによる。各脚部（４９）では、安定してキャリングケース１０を置くには、負側Ｘ側面１８Ｂ（底側面）と平行な方向となるＸ−Ｚ平面で見てある程度の大きさ寸法の直方体状とすることが考えられる。その場合、第１外殻部１１および第２外殻部１２を射出成形で形成しているため、各脚部（４９）が直方体形状の空洞の突起となるので、各脚部（４９）を形成する箇所の厚さが薄く、削れることで穴が開く虞がある。これに対し、各脚部４９では、２本の細長い線条部分４９ａをＸ方向で間隔を置いて設けることで、Ｘ方向で見た大きさ寸法を確保するので、各線条部分４９ａを材料（樹脂）で充填することができ、削れた場合であっても穴が開くことを防止できる。
【００５０】
したがって、本発明に係るキャリングケースの一実施例としてのキャリングケース１０では、被装着部材（本実施例では、衝撃吸収部材５０、ベルト部材６０、収容部材７０）の装着を可能としつつ使い勝手を向上させることができる。
【００５１】
なお、上記した実施例では、本発明に係るキャリングケースの一実施例としてのキャリングケース１０について説明したが、互いに椀形状を呈し、閉合方向で閉じ合わせると中空の箱状となる第１外殻部および第２外殻部を備え、前記第１外殻部には、開放端部の大きさ寸法を部分的に拡大すべく前記閉合方向に直交する直交面方向の外側に突出する第１環状リブ突起が設けられ、前記第２外殻部には、開放端部の大きさ寸法を部分的に拡大すべく前記直交面方向の外側に突出する第２環状リブ突起が設けられ、前記第１環状リブ突起または前記第２環状リブ突起の少なくとも一方には、対応する前記第１環状リブ突起または前記第２環状リブ突起の中で完結して取付穴部が設けられたキャリングケースであればよく、上記した実施例に限定されない。
【００５２】
また、上記した実施例では、４つの第１取付穴部２６と７つの第２取付穴部４５と４つの補助取付穴部４６とを上記した態様で設けているが、その数や場所は適宜設定すればよく、上記した例に限定されない。
【００５３】
さらに、上記した実施例では、各第１取付穴部２６と各取付金具２５とを用いて衝撃吸収部材５０を、各第１取付穴部２６を用いてベルト部材６０を、各補助取付穴部４６を用いて収容部材７０を装着している。しかしながら、ケース本体１３（キャリングケース１０）では、取付穴部（各第１取付穴部２６、各第２取付穴部４５）や取付部（各取付金具２５）や各補助取付穴部４６を、適宜組み合わせて用いて衝撃吸収部材５０やベルト部材６０や収容部材７０を含む被装着部材を装着すればよく、上記した例に限定されない。
【００５４】
上記した実施例では、取付部として、金属材料から形成された棒状の部材をＵ字状に湾曲させて取付金具２５を形成しているが、フック部５４やフック部６２等の帯状や紐状やリング状やＵ字状の部材の取り付けを可能とすべく設けるものであれば、他の構成でもよく、上記した実施例に限定されない。
【００５５】
以上、本発明のキャリングケースを実施例に基づき説明してきたが、具体的な構成については実施例に限られるものではなく、本発明の要旨を逸脱しない限り、設計の変更や追加等は許容される。
【符号の説明】
【００５６】
１０  キャリングケース
１１  第１外殻部
１２  第２外殻部
１８  （側面の一例としての）Ｘ側面
１８Ｂ  （底側面の一例としての）負側Ｘ側面
２５  （取付部の一例としての）取付金具
２９Ａ  第１環状リブ突起
２９Ｂ  第２環状リブ突起
２６  （取付穴部の一例としての）第１取付穴部
４５  （取付穴部の一例としての）第２取付穴部
４６  補助取付穴部
４８  切欠部分
４９  脚部
【図１】
0006619600.tif 000002
【図２】
0006619600.tif 000003
【図３】
0006619600.tif 000004
【図４】
0006619600.tif 000005
【図５】
0006619600.tif 000006
【図６】
0006619600.tif 000007
【図７】
0006619600.tif 000008
【図８】
0006619600.tif 000009
【図９】
0006619600.tif 000010
【図１０】
0006619600.tif 000011
【図１１】
0006619600.tif 000012